(57)【要約】【課題】一方から他方へ移動する光を透過しつつ逆方向の光を遮ると共に、他方にある光源の点灯駆動との同期が抑制されるシャッター装置の提供。【解決手段】本発明のシャッター装置１は、印加電圧に応じて透過状態と遮光状態が切り替わり、２つの空間を仕切る液晶パネル４１を含むシャッター本体部４と、供給電流に応じて点灯と消灯が切り替わり、一方の空間に配される第１光源５１と、他方の空間に配される照度センサ３５と、光源５１点灯時にパネル４１が遮光状態となり、かつ光源５１消灯時にパネル４１が透過状態となるように、光源５１及びパネル４１を同期制御すると共に、照度センサ３５の測定結果に基づいて他方の空間に配される第２光源８の点灯と消灯とを繰り返す点滅パターンＬを検出し、パネル４１の透過状態時にパターンＬの消灯時が該当する場合にパターンＬの点灯時にパネル４１が透過状態となるように前記同期制御を行う駆動回路３とを備える。【選択図】図１
2014021375.tif 000002
【特許請求の範囲】
【請求項１】
一対の基板間に液晶が挟持されてなり、前記基板間に印加される電圧に応じて、光が透過する透過状態と、光が遮られる遮光状態とが切り替わるシャッター駆動を行うと共に、２つの空間を仕切るように配されて前記２つの空間間を移動する光の量を調節する液晶パネルを含むシャッター本体部と、
供給電流に応じて、点灯と消灯とが切り替わるパルス点灯駆動を行うと共に、前記２つの空間のうち、一方の空間に配される第１光源と、
前記２つの空間のうち、他方の空間に配されて前記他方の空間の照度を測定する照度センサと、
前記第１光源に供給する電流量を制御して前記パルス点灯駆動を制御すると共に、前記基板間に印加する電圧を制御して前記シャッター駆動を制御し、前記第１光源の点灯時に前記液晶パネルが前記遮光状態となり、かつ前記第１光源の消灯時に前記液晶パネルが前記透過状態となるように、前記パルス点灯駆動及び前記シャッター駆動を同期制御する駆動回路であって、前記照度センサの測定結果に基づいて、前記他方の空間に配されている第２光源の点灯と消灯とを繰り返す点滅パターンを検出し、前記液晶パネルの透過状態時に前記点滅パターンの消灯時が該当している場合には、前記点滅パターンの点灯時に前記液晶パネルが透過状態となるように、前記同期制御を行う駆動回路と、を備えるシャッター装置。
【請求項２】
前記駆動回路は、
前記第１光源に電流を供給して前記パルス点灯駆動を制御するパネル駆動部と、
前記液晶パネルの前記基板間に電圧を印加して前記シャッター駆動を制御するライト駆動部と、
前記パルス点灯駆動と前記シャッター駆動とを互いに同期させるための所定の波形を有する基準パルス信号を、前記パネル駆動部及び前記ライト駆動部に対してそれぞれ供給する制御部と、を有し、
前記パネル駆動部は、前記基準パルス信号に基づいて前記液晶パネルの前記基板間に印加する電圧を設定し、
前記ライト駆動部は、前記基準パルス信号に基づいて前記第１光源に供給する電流を設定する請求項１に記載のシャッター装置。
【請求項３】
前記制御部は、前記液晶パネルの透過状態時に前記点滅パターンの消灯時が該当する場合には、前記基準パルス信号に替えて、前記点滅パターンの点灯時に前記液晶パネルの透過状態時が該当すると共に、前記パルス点灯駆動と前記シャッター駆動とを互いに同期させるための所定の波形を有する他の基準パルス信号を、前記パネル駆動部及び前記ライト駆動部に対してそれぞれ供給する請求項２に記載のシャッター装置。
【請求項４】
前記液晶パネルの遮光状態時における印加電圧のデューティー比は、前記液晶パネルの透過状態時における印加電圧のデューティー比よりも、大きく設定されている請求項１から請求項３のいずれか一項に記載のシャッター装置。
【請求項５】
前記液晶パネルの遮光状態は、前記液晶パネルの黒表示からなる請求項１から請求項４のいずれか一項に記載のシャッター装置。
【請求項６】
一対の基板間に液晶が挟持されてなり、前記基板間に印加される電圧に応じて、光が透過する透過状態と、光が遮られる遮光状態とが切り替わるシャッター駆動を行うと共に、２つの空間を仕切るように配されて前記２つの空間間を移動する光の量を調節する液晶パネルを含むシャッター本体部と、供給電流に応じて、点灯と消灯とが切り替わるパルス点灯駆動を行うと共に、前記２つの空間のうち、一方の空間に配される第１光源と、前記２つの空間のうち、他方の空間に配されて前記他方の空間の照度を測定する照度センサと、を有するシャッター装置の制御方法であって、
前記第１光源に供給する電流量を制御して前記パルス点灯駆動を制御すると共に、前記基板間に印加する電圧を制御して前記シャッター駆動を制御し、前記光源の点灯時に前記液晶パネルが前記遮光状態となり、かつ前記光源の消灯時に前記液晶パネルが前記透過状態となるように、前記パルス点灯駆動及び前記シャッター駆動を同期制御する工程と、
前記照度センサの測定結果に基づいて、前記他方の空間に配されている第２光源の点灯と消灯とを繰り返す点滅パターンを検出する工程と、
前記液晶パネルの透過状態時に前記点滅パターンの消灯時が該当している場合には、前記点滅パターンの点灯時に前記液晶パネルが透過状態となるように、前記同期制御を行う工程と、を含むシャッター装置の制御方法。
【請求項７】
前記パルス点灯駆動と前記シャッター駆動とを互いに同期させるための所定の波形を有する基準パルス信号に基づいて前記液晶パネルの前記基板間に供給する電圧を設定する工程と、
前記基準パルス信号に基づいて前記第１光源に供給する電流を設定する工程と、を含む請求項６に記載のシャッター装置の制御方法。
【請求項８】
前記液晶パネルの透過状態時に前記点滅パターンの消灯時が該当する場合には、前記基準パルス信号に替えて、前記点滅パターンの点灯時に前記液晶パネルの透過状態時が該当すると共に、前記パルス点灯駆動と前記シャッター駆動とを互いに同期させるための所定の波形を有する他の基準パルス信号に基づいて、前記液晶パネルの前記基板間に供給する電圧を設定する工程と、
前記他の基準パルス信号に基づいて、前記第１光源に供給する電流を設定する工程と、を含む請求項７に記載のシャッター装置の制御方法。
【請求項９】
前記液晶パネルの遮光状態が、黒表示からなる請求項６から請求項８のいずれか一項に記載のシャッター装置の制御方法。
【発明の詳細な説明】
【技術分野】
【０００１】
本発明は、シャッター装置、及びシャッター装置の制御方法に関する。
【背景技術】
【０００２】
従来、プライバシー保護や防犯等の目的で、建物の窓ガラスにマジックミラーが利用されている。マジックミラーは、ガラスの表面に銀等の反射膜を蒸着させたものからなり、ミラーガラス、ワンウェイミラー等とも呼ばれている。このようなマジックミラー越しに明るい方から暗い方を見ると、マジックミラーは鏡のように見え、反対にマジックミラー越しに暗い方から明るい方を見ると、マジックミラーは透明に見える。そのため、建物の外側からマジックミラー越しに内側を見ようとしても、外側が内側よりも明るければ（例えば、晴天時の昼間）、マジックミラー越しに建物の内側を見られなくすることができる。
【０００３】
ところで、上述したマジックミラーとは異なり、電気的に光透過量を調節できる窓ガラスとして、例えば、液晶パネルを利用した窓装置（特許文献１）が知られている。特に、特許文献２には、浴室の窓ガラスとして液晶式の調光ガラスを利用し、その調光ガラスの光透過率を、照明の点滅駆動に同期させる技術が示されている。なお、前記調光ガラスは、最高の光透過率と最低の光透過率とが切り替わるように構成されている。特許文献２では、このような調光ガラスを利用して浴室の外側から内側を覗けないようにしている。また、本発明に関する参考文献として、特許文献３に記載の技術が挙げられる。
【先行技術文献】
【特許文献】
【０００４】
【特許文献１】特開平１０−２５９７５号公報
【特許文献２】特開２０００−１７３３０６号公報
【特許文献３】特開２００７−１１４４８０号公報
【発明の概要】
【発明が解決しようとする課題】
【０００５】
マジックミラーを利用した窓ガラスは、例えば、夜間のように窓ガラスの内側（屋内）が外側（屋外）よりも室内照明装置等によって明るくなっている場合は、マジックミラー（窓ガラス）越しに外側から内側を見ることができてしまい、問題となっている。
【０００６】
また、特許文献２では、例えば、浴室の外側にある光源の点滅パターンと、調光ガラスの光透過率の切替パターンとが同期して、調光ガラスの光透過率が最大となった時に、前記光源が消灯していると、浴室の外側から内側に前記光源からの光が取り込まれなくなるという問題があった。
【０００７】
本発明の目的は、液晶パネルで仕切られた２つの空間間における明るさの違いに関係なく、一方の空間側から他方の空間側へ移動する光を透過しつつ、前記他方の空間側から前記一方の空間側へ移動する光を遮ることが可能であり、かつ前記他方の空間にある光源の点灯駆動との同期が抑制されるシャッター装置、及び前記シャッター装置の制御方法を提供することである。
【課題を解決するための手段】
【０００８】
本発明に係るシャッター装置は、一対の基板間に液晶が挟持されてなり、前記基板間に印加される電圧に応じて、光が透過する透過状態と、光が遮られる遮光状態とが切り替わるシャッター駆動を行うと共に、２つの空間を仕切るように配されて前記２つの空間間を移動する光の量を調節する液晶パネルを含むシャッター本体部と、供給電流に応じて、点灯と消灯とが切り替わるパルス点灯駆動を行うと共に、前記２つの空間のうち、一方の空間に配される第１光源と、前記２つの空間のうち、他方の空間に配されて前記他方の空間の照度を測定する照度センサと、前記第１光源に供給する電流量を制御して前記パルス点灯駆動を制御すると共に、前記基板間に印加する電圧を制御して前記シャッター駆動を制御し、前記第１光源の点灯時に前記液晶パネルが前記遮光状態となり、かつ前記第１光源の消灯時に前記液晶パネルが前記透過状態となるように、前記パルス点灯駆動及び前記シャッター駆動を同期制御する駆動回路であって、前記照度センサの測定結果に基づいて、前記他方の空間に配されている第２光源の点灯と消灯とを繰り返す点滅パターンを検出し、前記液晶パネルの透過状態時に前記点滅パターンの消灯時が該当している場合には、前記点滅パターンの点灯時に前記液晶パネルが透過状態となるように、前記同期制御を行う駆動回路と、を備える。
【０００９】
前記シャッター装置では、シャッター本体部の液晶パネルが２つの空間を仕切るように配されており、一方の空間に第１光源が配されている。そして、液晶パネルのシャッター駆動と、第１光源のパルス点灯駆動とは、駆動回路によって同期制御されている。そのため、一方の空間に配されている第１光源が点灯すると、液晶パネルは光を遮る遮光状態となり、その液晶パネルによって、前記第１光源から発せられた光が他方の空間へ移動することが抑制される。なお、他方の空間から前記一方の空間へ光が移動することも、遮光状態の液晶パネルによって抑制される。これに対して、前記第１光源が消灯すると、液晶パネルは光を透過させる透過状態となり、他方の空間から前記一方の空間へ光が移動できる状態となる。なお、前記第１光源の消灯時は、前記第１光源から発せられる光が無い状態であり、透過状態の液晶パネルを通過して前記一方の空間から前記他方の空間へ光が移動することが抑制される。したがって、前記シャッター装置では、前記他方の空間から前記第１光源が配されている前記一方の空間へ光が移動することは許容しつつ、前記一方の空間から他方の空間へ光が移動することを抑制することができる。
【００１０】
そして、前記シャッター装置は、更に、前記２つの空間のうち、他方の空間に配されて前記他方の空間の照度を測定する照度センサを有し、前記駆動回路は、前記照度センサの測定結果に基づいて、前記他方の空間に配されている第２光源における点灯と消灯とを繰り返す点滅パターンを検出し、前記液晶パネルの透過状態時に前記点滅パターンの消灯時が該当している場合には、前記点滅パターンの点灯時に前記液晶パネルが透過状態となるように、前記同期制御を行う。前記液晶パネルの透過状態時に、前記他方の空間に配されている第２光源が消灯していると、前記他方の空間から前記一方の空間に前記第２光源からの光が取り込まれなくなってしまう。前記シャッター装置は、上記構成を備えることにより、前記液晶パネルの透過状態時に、前記第２光源（前記点滅パターン）の消灯時が該当することを防止することができ、前記他方の空間から前記一方の空間へ前記第２光源からの光を確実に移動させることが可能となる。
【００１１】
前記シャッター装置において、前記駆動回路は、前記第１光源に電流を供給して前記パルス点灯駆動を制御するパネル駆動部と、前記液晶パネルの前記基板間に電圧を印加して前記シャッター駆動を制御するライト駆動部と、前記パルス点灯駆動と前記シャッター駆動とを互いに同期させるための所定の波形を有する基準パルス信号を、前記パネル駆動部及び前記ライト駆動部に対してそれぞれ供給する制御部と、を有し、前記パネル駆動部は、前記基準パルス信号に基づいて前記液晶パネルの前記基板間に印加する電圧を設定し、前記ライト駆動部は、前記基準パルス信号に基づいて前記第１光源に供給する電流を設定するものであってもよい。
【００１２】
前記シャッター装置において、前記制御部は、前記液晶パネルの透過状態時に前記点滅パターンの消灯時が該当する場合には、前記基準パルス信号に替えて、前記点滅パターンの点灯時に前記液晶パネルの透過状態時が該当すると共に、前記パルス点灯駆動と前記シャッター駆動とを互いに同期させるための所定の波形を有する他の基準パルス信号を、前記パネル駆動部及び前記ライト駆動部に対してそれぞれ供給するものであってもよい。
【００１３】
前記シャッター装置において、前記液晶パネルの遮光状態時における印加電圧のデューティー比は、前記液晶パネルの透過状態時における印加電圧のデューティー比よりも、大きく設定されているものであってもよい。前記シャッター装置において、前記液晶パネルの遮光状態時における印加電圧のデューティー比は、前記液晶パネルの透過状態時における印加電圧のデューティー比よりも、大きく設定されていると、前記一方の空間から他方の空間へ光が移動することを確実に抑制することができる。
【００１４】
前記シャッター装置において、前記液晶パネルの遮光状態は、前記液晶パネルの黒表示からなるものであってもよい。液晶パネルの黒表示は、最も遮光性が高く遮光状態として好ましい。
【００１５】
本発明に係るシャッター装置の制御方法は、一対の基板間に液晶が挟持されてなり、前記基板間に印加される電圧に応じて、光が透過する透過状態と、光が遮られる遮光状態とが切り替わるシャッター駆動を行うと共に、２つの空間を仕切るように配されて前記２つの空間間を移動する光の量を調節する液晶パネルを含むシャッター本体部と、供給電流に応じて、点灯と消灯とが切り替わるパルス点灯駆動を行うと共に、前記２つの空間のうち、一方の空間に配される第１光源と、前記２つの空間のうち、他方の空間に配されて前記他方の空間の照度を測定する照度センサと、を有するシャッター装置の制御方法であって、前記第１光源に供給する電流量を制御して前記パルス点灯駆動を制御すると共に、前記基板間に印加する電圧を制御して前記シャッター駆動を制御し、前記光源の点灯時に前記液晶パネルが前記遮光状態となり、かつ前記光源の消灯時に前記液晶パネルが前記透過状態となるように、前記パルス点灯駆動及び前記シャッター駆動を同期制御する工程と、前記照度センサの測定結果に基づいて、前記他方の空間に配されている第２光源の点灯と消灯とを繰り返す点滅パターンを検出する工程と、前記液晶パネルの透過状態時に前記点滅パターンの消灯時が該当している場合には、前記点滅パターンの点灯時に前記液晶パネルが透過状態となるように、前記同期制御を行う工程と、を含む。
【００１６】
前記液晶パネルの透過状態時に、前記他方の空間に配されている第２光源が消灯していると、前記他方の空間から前記一方の空間に前記第２光源からの光が取り込まれなくなってしまう。前記シャッター装置の制御方法は、上記工程を含むことにより、前記液晶パネルの透過状態時に、前記第２光源（前記点滅パターン）の消灯時が該当することを防止することができ、前記他方の空間から前記一方の空間へ前記第２光源からの光を確実に移動させることが可能となる。
【００１７】
前記シャッター装置の制御方法において、前記パルス点灯駆動と前記シャッター駆動とを互いに同期させるための所定の波形を有する基準パルス信号に基づいて前記液晶パネルの前記基板間に供給する電圧を設定する工程と、前記基準パルス信号に基づいて前記第１光源に供給する電流を設定する工程と、を含むものであってもよい。
【００１８】
前記シャッター装置の制御方法において、前記液晶パネルの透過状態時に前記点滅パターンの消灯時が該当する場合には、前記基準パルス信号に替えて、前記点滅パターンの点灯時に前記液晶パネルの透過状態時が該当すると共に、前記パルス点灯駆動と前記シャッター駆動とを互いに同期させるための所定の波形を有する他の基準パルス信号に基づいて、前記液晶パネルの前記基板間に供給する電圧を設定する工程と、前記他の基準パルス信号に基づいて、前記第１光源に供給する電流を設定する工程と、を含むものであってもよい。
【００１９】
前記シャッター装置の制御方法において、前記液晶パネルの遮光状態が、黒表示からなるものであってもよい。液晶パネルの黒表示は、最も遮光性が高く遮光状態として好ましい。
【発明の効果】
【００２０】
本発明によれば、液晶パネルで仕切られた２つの空間間における明るさの違いに関係なく、一方の空間側から他方の空間側へ移動する光を透過しつつ、前記他方の空間側から前記一方の空間側へ移動する光を遮ることが可能であり、かつ前記他方の空間にある光源の点灯駆動との同期が抑制されるシャッター装置、及び前記シャッター装置の制御方法を提供することができる。
【図面の簡単な説明】
【００２１】
【図１】実施形態１に係るシャッター装置の構成を示す図である。
【図２】液晶パネルに含まれる画素の等価回路を示す図である。
【図３】ＬＥＤの駆動波形と液晶パネルの駆動波形との関係を示すグラフである。
【図４】晴天時の昼間において、ＬＥＤの点灯時に同期して液晶パネルが遮光状態となったシャッター装置を示す図である。
【図５】晴天時の昼間において、ＬＥＤの消灯時に同期して液晶パネルが透過状態となったシャッター装置を示す図である。
【図６】夜間において、ＬＥＤの点灯時に同期して液晶パネルが遮光状態となったシャッター装置を示す図である。
【図７】夜間において、ＬＥＤの消灯時に同期して液晶パネルが透過状態となったシャッター装置を示す図である。
【図８】シャッター装置の駆動回路における処理の一部を示すフローチャートである。
【図９】外部光源の点滅パターン、ＬＥＤの駆動波形及び液晶パネルの駆動波形との関係を示すグラフである。
【図１０】液晶パネルが遮光状態となっている実施形態２に係るシャッター装置を示す図である。
【図１１】液晶パネルが透過状態となっている実施形態２に係るシャッター装置を示す図である。
【発明を実施するための形態】
【００２２】
＜実施形態１＞
本発明の実施形態１を、図１から図９を参照しつつ説明する。
１．シャッター装置の構成
図１は、実施形態１に係るシャッター装置１の構成を示す説明図である。シャッター装置１は、建物の部屋２内に設置されるものであり、駆動回路３と、シャッター本体部４と、ライトユニット５と、照度センサ３５とを備えている。
【００２３】
シャッター本体部４は、液晶パネル４１を含んでいる。シャッター本体部４は、液晶パネル４１以外に、液晶パネル４１の周縁に設けられる枠体等を含んでいる。本実施形態の場合、シャッター本体部４は、部屋２の窓（窓ガラス）として利用されるものであり、部屋２の壁に嵌め込まれて用いられる。液晶パネル４１は、主として、一対の基板間で液晶を挟持したものからなる。液晶パネル４１には、複数の画素４１０がマトリクス状に設けられている。本実施形態の液晶パネル４１には、カラーフィルタが設けられていない。液晶パネル４１の各画素４１０は、液晶パネル４１の前記基板間に印加される電圧に応じて黒表示と透明表示とが切り替わるように構成されている。本実施形態の液晶パネル４１は、いわゆるノーマリーブラック方式であり、各画素４１０は電圧が印加されていない状態で黒表示となる。液晶パネル４１の各画素４１０が黒表示（つまり、液晶パネル４１の表示面全体が黒表示）となると、液晶パネル４１は光を遮る遮光状態となる。また、液晶パネル４１の各画素４１０が透明表示（つまり、液晶パネル４１の表示面全体が透明表示）となると、液晶パネル４１は光を透過させる透過状態となる。このようにして液晶パネル４１の光透過率が制御される。液晶パネル４１の前記基板間に印加される電圧に応じて、遮光状態と透過状態とが切り替わる液晶パネル４１の駆動を、特に、シャッター駆動と称する。
【００２４】
図２は、液晶パネル４１に含まれる画素４１０の等価回路を示す図である。液晶パネル４１には、複数の画素４１０の間に沿って延びる複数のスキャンライン４２０及び複数のデータライン４３０が設けられており、画素４１０には、スイッチ装置４４０とピクセル電極４５０が設けられている。スイッチ装置４４０には、スイッチ電極４４０Ａとデータ電極４４０Ｂ、４４０Ｃが設けられている。スイッチ電極４４０Ａは対応するスキャンライン４２０に接続されている。一方のデータ電極４４０Ｂは、対応するデータライン４３０に接続されている。他方のデータ電極４４０Ｃは、ピクセル電極４５０に接続されている。ピクセル電極４５０は、液晶パネル４１の基板間に封入された液晶分子を介して接地電圧に接続された対向電極４６０に対向配置されている。
【００２５】
ライトユニット５は、部屋２内を照らす照明装置であり、ＬＥＤ（Ｌｉｇｈｔ  Ｅｍｉｔｔｉｎｇ  Ｄｉｏｄｅ：発光ダイオード）５１を光源（第１光源）としている。ライトユニット５は、複数のＬＥＤ５１を備えており、これらのＬＥＤ５１は直列接続されている。各ＬＥＤ５１は、白色発光するＬＥＤパッケージから構成されている。本実施形態の場合、ライトユニット５は、部屋２の天井に取り付けられており、部屋２の内側全体を照らすように設定されている。ＬＥＤ５１は、パルス制御で駆動（パルス点灯駆動）され、供給される電流量に応じて点灯と消灯とを繰り返す動作を行う。
【００２６】
照度センサ３５は、部屋２の外側の明るさ（照度）を測定する装置であり、シャッター本体部４の近くに設置されている。照度センサ３５としては、公知のものを適用できる。照度センサ３５は、駆動回路３に接続されており、測定結果を駆動回路３へ供給する。その測定結果から、部屋２の外側にある光源（第２光源）の点滅パターンが検出される。
【００２７】
駆動回路３は、液晶パネル４１とＬＥＤ５１とを互いに同期させつつ駆動する。駆動回路３は、制御部３１、パネル駆動部３２及びライト駆動部３３を備えている。
【００２８】
制御部３１は、基準パルス信号（電圧信号）Ｓを、ライト駆動部３３及びパネル駆動部３２に対して同じタイミングで供給する。この基準パルス信号Ｓは、ＬＥＤ５１のパルス点灯駆動と液晶パネル４１のシャッター駆動とを、互いに同期させるための所定の波形を有するデータである。なお、基準パルス信号Ｓは、予め制御部３１内に記憶されている。
【００２９】
ライト駆動部３３は、ライトユニット５を駆動する。ライト駆動部３３は、制御部３１に接続されており、制御部３１から基準パルス信号Ｓが供給されている。また、ライト駆動部３３は、ライトユニット５のＬＥＤ５１に接続されており、ＬＥＤ５１に電流Ｉを供給している。ライト駆動部３３は、制御部３１から入力された基準パルス信号Ｓに基づいて、ＬＥＤ５１に供給される電流のデューティー比を設定している。本実施形態の場合、ライト駆動部３３は、基準パルス信号Ｓの位相と同位相となるように、デューティー比を設定している。このようにして、ライト駆動部３３は、制御部３１から入力された基準パルス信号Ｓに基づいて、ＬＥＤ５１の点灯周期（点滅周期）を制御している。なお、ライト駆動部３３がＬＥＤ５１の点灯周期を制御することによって、ＬＥＤ５１の発光輝度も制御されることになる。
【００３０】
パネル駆動部３２は、液晶パネル４１を駆動する。パネル駆動部３２は、制御部３１に接続されており、制御部３１から基準パルス信号Ｓが供給されている。また、パネル駆動部３２は、液晶パネル４１の各画素４１０に接続されており、各画素４１０の電極間にデータ電圧Ｖを印加している。パネル駆動部３２は、制御部３１から入力された基準パルス信号Ｓに基づいて、液晶パネル４１に供給される電圧（データ電圧Ｖ）のデューティー比を設定している。パネル駆動部３２は、基準パルス信号Ｓの位相と逆位相となるように、デューティー比を設定している。このようにして、パネル駆動部３２は、制御部３１から入力された基準パルス信号Ｓに基づいて、液晶パネル４１の基板間（各画素４１０の電極間）に印加するデータ電圧Ｖを制御している。
【００３１】
図３は、ＬＥＤ５１の駆動波形と液晶パネル４１の駆動波形との関係を示すグラフである。なお、図３には、基準パルス信号Ｓも併せて記載されている。図３の最も下側に示されるグラフが、パネル駆動部３２が各画素４１０の電極間に供給するデータ電圧Ｖのグラフであり、そのグラフの上側に示される他のグラフが、ライト駆動部３３がＬＥＤ５１に供給する電流Ｉのグラフである。図３の横軸は時間を示し、縦軸は、電圧又は電流を示す。
【００３２】
図３に示されるように、ＬＥＤ５１の駆動波形と液晶パネル４１の駆動波形とは、互いに逆位相の関係となっている。このような関係であると、ＬＥＤ５１の点灯時に、液晶パネル４１が黒表示（遮光状態）となり、ＬＥＤ５１の消灯時に、液晶パネル４１が透明表示（透過状態）となる。なお、液晶パネル４１の光透過率は、黒表示時（遮光状態時）における印加電圧のデューティー比Ｄ１（＝ａ／Ｔ）と、透明表示時（透過状態時）における印加電圧のデューティー比Ｄ２（＝ｂ／Ｔ）との関係に依存する。なお、符号ａは、液晶パネル４１の黒表示時（遮光状態時、印加電圧オフ状態）における印加電圧のパルス幅であり、符号ｂは、液晶パネル４１の透明表示時（透過状態、印加電圧オン状態）における印加電圧のパルス幅であり、符号Ｔは、液晶パネル４１の駆動波形の周期である。例えば、デューティー比Ｄ２が大きくなると（デューティー比Ｄ１が小さくなると）、液晶パネル４１の光透過率が高くなる。反対にデューティー比Ｄ２が小さくなると（デューティー比Ｄ１が大きくなると）、液晶パネル４１の光透過率が低くなる。本実施形態では、デューティー比Ｄ１の方が、にデューティー比Ｄ２よりも大きくなるように設定されている。
【００３３】
また、制御部３１は、上述した照度センサ３５の測定結果に基づいて、部屋２の外側にある光源（第２光源）の点滅パターンが検出し、その点滅パターンと液晶パネル４１の駆動周期Ｔ（例えば、基準パルス信号Ｓの周期Ｔ）とを比較して、液晶パネル４１の透過状態時に前記点滅パターンの消灯時が該当しているか否かを判断する判断部３４を備えている。そして、判断部３４は、液晶パネル４１の透過状態時に前記点滅パターンの消灯時が該当していると判断した場合には、パネル駆動部３２及びライト駆動部３３に供給する基準パルス信号Ｓを、他の基準パルス信号Ｓ’に変更する。変更後の基準パルス信号Ｓ’は、ＬＥＤ（第１光源）５１の点灯時に液晶パネル４１が遮光状態となり、かつＬＥＤ（第１光源）５１の消灯時に液晶パネル４１が透過状態となるように、パルス点灯駆動及びシャッター駆動を同期制御しつつ、部屋２の外側にある光源（第２光源）の点灯時（前記点滅パターンの点灯時）に、液晶パネル４１が透過状態となるように、前記同期制御を行うための信号である。
【００３４】
２．シャッター装置の制御１
次いで、シャッター装置１における液晶パネル４１とＬＥＤ５１との同期制御について説明する。先ず、駆動回路３が起動されると、制御部３１が基準パルス信号Ｓをパネル駆動部３２及びライト駆動部３３に対して同時に送信する。ライト駆動部３３は、制御部３１から基準パルス信号Ｓが供給されると、その基準パルス信号Ｓに基づいて、基準パルス信号Ｓと同位相の電流Ｉを設定する。そして、ライト駆動部３３は、その電流Ｉをライトユニット５の各ＬＥＤ５１に供給する。一方、パネル駆動部３２は、制御部３１から基準パルス信号Ｓが供給されると、その基準パルス信号Ｓに基づいて、基準パルス信号Ｓと逆位相のデータ電圧Ｖを設定する。そして、パネル駆動部３２は、そのデータ電圧Ｖを液晶パネル４１の前記基板間に印加する。
【００３５】
なお、電流Ｉの周期Ｔ及びデータ電圧Ｖの周期Ｔは、互いに同じである。また、電流Ｉの点灯時のデューティー比と、データ電圧Ｖの黒表示時（遮光状態時）のデューティー比Ｄ１も、互いに同じである。そして、電流Ｉの消灯時のデューティー比と、データ電圧の透明表示時（透過状態時）のデューティー比（Ｄ２）も、互いに同じである。
【００３６】
すると、ライトユニット５の各ＬＥＤ５１の点灯時に、液晶パネル４１の各画素４１０が黒表示となり、ライトユニット５の各ＬＥＤ５１の消灯時に、液晶パネル４１の各画素４１０が透明表示となる。つまり、ライトユニット５の各ＬＥＤ５１と、液晶パネル４１の各画素４１０とは、互いに同期して駆動することになる。
【００３７】
３．シャッター装置が備える液晶パネルの調光機能
シャッター装置１において、液晶パネル４１とＬＥＤ５１とが同期制御されると、液晶パネル４１を透過する光の方向が制限される。具体的には、部屋２の内側にあるライトユニット５のＬＥＤ（光源）５１からの光は、液晶パネル４１を透過して部屋２の外側に漏れ出すことが抑制され、反対に、部屋２の外側にある光源からの光は、液晶パネル４１を透過して部屋２の内側に取り入れられることになる。このようなシャッター装置１の調光機能は、液晶パネル４１によって隔てられている部屋２の外側と内側との間における明るさの違いに関係なく、発揮される。ここで、図４から図７を参照しつつ、液晶パネル４１の調光機能について、更に詳しく説明する。
【００３８】
まず、晴天時の昼間におけるシャッター装置１の調光機能について説明する。図４は、晴天時の昼間において、ＬＥＤ５１の点灯時に同期して液晶パネル４１が遮光状態となったシャッター装置１を示す図である。図４において、部屋２の壁には、液晶パネル４１を含むシャッター本体部４が嵌め込まれている。そして、部屋２の天井には、屋内照明装置としてのライトユニット５が設置されている。なお、液晶パネル４１やＬＥＤ５１の駆動を制御する駆動回路３は、図示されていないものの、部屋２内に設置されている。また、部屋２の外側７には、光源として太陽６が示されている。
【００３９】
シャッター装置１が作動すると、液晶パネル４１は、周期的に黒表示（遮光状態）と透明表示（透過状態）とを繰り返すことになり、そして、ＬＥＤ５１は、液晶パネル４１の駆動と同期しつつ、周期的に点灯と消灯とを繰り返すことになる。図４には、ライトユニット５の各ＬＥＤ５１が点灯し、液晶パネル４１の各画素４１０が黒表示となった状態（つまり、液晶パネル４１の遮光状態）が示されている。この際、ＬＥＤ５１から発せられた光Ｌ５は、黒表示（遮光状態）の液晶パネル４１により吸収、反射等されて遮られるため、部屋２内の光Ｌ５が液晶パネル４１を透過して部屋２の外側に漏れ出すことが防止されている。また、部屋２の外側７にある太陽６からの光Ｌ６も、黒表示（遮光状態）の液晶パネル４１により吸収、反射等されて遮られるため、外側（屋外）の光Ｌ６が液晶パネル４１を通過して部屋２内に進入することが防止されている。つまり、液晶パネル４１が黒表示の状態（遮光状態）では、部屋２の内側２１から外側７に向かう光と、外側（屋外）７から部屋２の内側２１に向かう光とは、共に液晶パネル４１を透過することができなくなっている。
【００４０】
図５は、晴天時の昼間において、ＬＥＤ５１の消灯時に同期して液晶パネル４１が透過状態となったシャッター装置１を示す図である。液晶パネル４１が黒表示（遮光状態）から切り替わると、図５に示されるように、透明表示（透過状態）となる。液晶パネル４１の各画素４１０が透明表示となった状態（つまり、液晶パネル４１の透過状態）では、部屋２の外側（屋外）７の光Ｌ６は液晶パネル４１を透過することができる。そのため、光Ｌ６は部屋２の内側２１に進入することができる。なお、光Ｌ６は太陽光であり、液晶パネル４１のシャッター駆動とは同期していない。また、液晶パネル４１が黒表示（遮光状態）から透明表示（透過状態）に切り替わると、図５に示されるように、ライトユニット５の各ＬＥＤ５１は点灯状態から消灯状態に切り替わる。すると、ライトユニット５の各ＬＥＤ５１からは光が発せられなくなるため、ＬＥＤ５１から液晶パネル４１を通過して部屋２の外側７に向かう光Ｌ０は発生しないことになる。そのため、液晶パネル４１が透明表示の状態（透過状態）において、部屋２の内側２１から外側（屋外）７に向かって光が漏れ出すことが抑制されている。つまり、液晶パネル４１が透明表示の状態（透過状態）では、部屋２の内側２１から外側７に光が漏れ出すことが抑制されつつ、部屋２の外側（屋外）７の光を部屋２の内側２１に液晶パネル４１を介して取り込むことができる。
【００４１】
以上のように、シャッター装置１では、部屋２の内側２１から外側７に液晶パネル４１を介して光が漏れ出し難くなっている。そして、部屋２の外側７から内側２１には、液晶パネル４１を介して光が取り込まれるようになっている。そのため、部屋２の内側２１に居る人物Ｘは、液晶パネル４１越しに部屋２の外側７に居る人物Ｙを見ることができるものの、人物Ｙは、部屋２の内側２１を液晶パネル４１越しに視認することができなくなっている。
【００４２】
次いで、夜間におけるシャッター装置１の調光機能について説明する。図６は、夜間において、ＬＥＤ５１の点灯時に同期して液晶パネル４１が遮光状態となったシャッター装置１を示す図であり、図７は、夜間において、ＬＥＤ５１の消灯時に同期して液晶パネル４１が透過状態となったシャッター装置１を示す図である。基本的に、夜間であっても、シャッター装置１の調光機能は、上述した昼間のものと同様である。図６及び図７において、部屋２の外側７における光源として街路灯（ＬＥＤ、第２光源）８が示されている。図６に示されるように、部屋２の天井に設けられているライトユニット５の各ＬＥＤ５１の点灯時に、部屋２の壁に嵌め込まれている液晶パネル４１が黒表示（遮光状態）となっていると、街路灯８から発せられた光Ｌ８は黒表示（遮光状態）の液晶パネル４１によって遮られることになる。また、その際、ＬＥＤ５１から発せられた光Ｌ５も、黒表示（遮光状態）の液晶パネル４１によって遮られることになる。そして、図７に示されるようにＬＥＤ５１の消灯時に、液晶パネル４１が透明表示（透過状態）となっていると、街路灯８からの光Ｌ８は液晶パネル４１を透過して部屋２の内側２１に取り込まれることになる。なお、ここでの街路灯８からの光Ｌ８は、液晶パネル４１のシャッター駆動と同期していないものとする。このように透明表示（透過状態）の液晶パネル４１を透過することができる。また、その際、ＬＥＤ５１からは光が発せられていないため、ライトユニット５の各ＬＥＤ５１から液晶パネル４１を透過して外側に漏れ出す光Ｌ０の発生が抑制されている。以上のように、夜間であっても、シャッター装置１では、部屋２の内側２１から外側７に液晶パネル４１を介して光が漏れ出し難くなっており、そして、部屋２の外側７から内側２１には、液晶パネル４１を介して光が取り込まれるようになっている。
【００４３】
４．シャッター装置の制御２
ところで、部屋２の外側にある光源（第２光源）の点灯駆動が、液晶パネル４１のシャッター駆動に同期してしまうことがある。つまり、前記光源（第２光源）の点灯時に、液晶パネル４１が遮光状態となり、かつ前記光源（第２光源）の消灯時に、液晶パネル４１が透過状態となるように、前記光源（第２光源）の点灯駆動と液晶パネル４１のシャッター駆動とが完全に同期してしまうことがある。また、前記光源（第２光源）の点灯駆動と液晶パネル４１のシャッター駆動とが完全に同期していなくても、例えば、液晶パネル４１の透過状態時に、前記光源（第２光源）の消灯時が該当してしまうこともある。このような場合、部屋２の外側７から部屋２の内側２１に前記光源（第２光源）からの光が取り込まれなくなってしまう。つまり、部屋２の内側２１から液晶パネル４１越しに外側７の様子を視認することができなくなる。そのため、本実施形態のシャッター装置１は、液晶パネル４１の透過状態時に、部屋２の外側７にある光源（第２光源）の消灯時が該当しないようにする構成を備えている。具体的には、シャッター装置１は、照度センサ３５、及び判断部３４（制御部３１）を備えている。
【００４４】
以下、液晶パネル４１の透過状態時に、部屋２の外側７にある光源（第２光源）の消灯時が該当しないようにする内容を、図８及び図９を参照しつつ説明する。なお、ここでは、図６及び図７に示される状態のシャッター装置１を例に挙げて説明する。
【００４５】
図８は、シャッター装置１の駆動回路３における処理を示すフローチャートである。ここで、図８を参照しつつ、シャッター装置１の駆動回路３における処理を説明する。シャッター装置１の制御部３は、先ず、液晶パネル４１及びＬＥＤ５１が同期駆動するように制御している（上記シャッター装置の制御１参照）。そして、図８のＳ１に示されるように、制御部３は、照度センサ３５に対して、所定の時間間隔（タイミング）で街路灯（ＬＥＤ）８の点灯周期を検出する指令を送信する。すると、図８のＳ２に示されるように、照度センサ３５は、外部光源である街路灯８の照度を計測する。そして、照度センサ３５の計測結果は、制御部３に含まれる判断部３４に送信される。判断部３４は、前記計測結果に基づいて、街路灯８が点灯と消灯とを繰り返す点滅パターン（周期）を検出し（図８のＳ３参照）、更に判断部３４は、Ｓ４に示されるように、街路灯８の前記点滅パターンと、シャッター装置１がＬＥＤ５１や液晶パネル４１を駆動させる駆動波形（ここでは、基準パルス信号Ｓの波形）とを比較して、液晶パネル４１の透過状態時に、前記点滅パターンの消灯時が該当しているか否かを判断する。
【００４６】
街路灯８の前記点滅パターンと、シャッター装置１の駆動波形とを比較して、液晶パネル４１の透過状態時に、前記点滅パターンの消灯時が該当していないと判断部３４が判断した場合は、再び図１のＳ１へ移行することになる。これに対して、街路灯８の前記点滅パターンと、シャッター装置１の駆動波形とを比較して、液晶パネル４１の透過状態時に、前記点滅パターンの消灯時が該当していると判断部３４が判断した場合は、その判断結果に基づいて、制御部３１が、前記駆動波形を、液晶パネル４１の透過状態時に、街路灯８の前記点滅パターンの点灯時が該当するような、他の駆動波形に変更する（図８のＳ５）。そして、制御部３１は、予め記憶されている前記他の駆動波形を有する基準パルス信号Ｓ’を、パネル駆動部３２やライト駆動部３３に対して供給する。すると、液晶パネル４１の基板間には、前記基準パルス信号Ｓ’に基づいて設定された電圧が印加され、またＬＥＤ５１には、前記基準パルス信号Ｓ’に基づいて設定された電流が供給されることになる。このようにして、液晶パネル４１の透過状態時に、街路灯８の消灯時が該当しないようにしつつ、ＬＥＤ５１の点灯駆動と、液晶パネル４１のシャッター駆動とを同期制御することができる。
【００４７】
図９は、外部光源（ＬＥＤ）８の点滅パターンＬ、ＬＥＤ５１の駆動波形Ｉ’及び液晶パネル４１の駆動波形Ｖ’との関係を示すグラフである。なお、図９には、変更後の基準パルス信号Ｓ’も併せて記載されている。図９の最も下側に示されるグラフが、外部光源（ＬＥＤ）８の点滅パターンＬである。また、そのグラフの上側に、パネル駆動部３２が各画素４１０の電極間に供給するデータ電圧Ｖ’のグラフと、ライト駆動部３３がＬＥＤ５１に供給する電流Ｉ’のグラフとがそれぞれ示されている。図９の横軸は時間を示し、縦軸は、電流、電圧又は照度を示す。
【００４８】
データ電圧Ｖ’は、パネル駆動部３２によって基準パルス信号Ｓ’に基づいて設定されている。このデータ電圧Ｖ’は、基準パルス信号Ｓ’の位相と逆位相となるように、デューティー比が設定されている。また、電流Ｉ’は、ライト駆動部３３によって基準パルス信号Ｓ’に基づいて設定されている。この電流Ｉ’は、基準パルス信号Ｓ’の位相と同位相となるように、デューティー比が設定されている。
【００４９】
図９に示されるように、基準パルス信号Ｓ’に基づくデータ電圧Ｖ’が供給されることによって液晶パネル４１の透過状態時（透明表示時）に、外部光源（ＬＥＤ）８の点灯時が重なり、該当するようになる。
【００５０】
このようにして、本実施形態のシャッター装置１は、部屋２の外側にある街路灯（第２光源）８の点灯駆動と、液晶パネル４１のシャッター駆動とが互いに同期しないように（特に、液晶パネル４１の透過状態時に、街路灯８の消灯時が該当しないように）、部屋２の内側にあるＬＥＤ５１の点灯駆動と、液晶パネル４１のシャッター駆動とを同期制御することができる。
【００５１】
５．本発明の効果
本実施形態のシャッター装置１では、シャッター本体部４の液晶パネル４１が２つの空間（部屋２の内側２１、部屋２の外側７）を仕切るように配されており、一方の空間（部屋２の内側２１）にＬＥＤ（第１光源）５１が配されている。そして、液晶パネル４１のシャッター駆動と、ＬＥＤ５１のパルス点灯駆動とは、駆動回路３によって同期制御されている。そのため、一方の空間（部屋２の内側２１）に配されているＬＥＤ５１が点灯すると、液晶パネル４１は光を遮る遮光状態となり、その液晶パネル４１によって、ＬＥＤ５１から発せられた光が他方の空間（部屋２の外側７）へ移動することが抑制される。なお、他方の空間（部屋２の外側７）から前記一方の空間（部屋２の内側２１）へ光が移動することも、遮光状態の液晶パネル４１によって抑制される。これに対して、ＬＥＤ５１が消灯すると、液晶パネル４１は光を透過させる透過状態となり、他方の空間（部屋２の外側７）から前記一方の空間（部屋２の内側２１）へ光が移動できる状態となる。なお、ＬＥＤ５１の消灯時は、ＬＥＤ５１から発せられる光が無い状態であり、透過状態の液晶パネル４１を通過して前記一方の空間（部屋２の内側２１）から前記他方の空間（部屋２の外側７）へ光が移動することが抑制される。したがって、前記シャッター装置では、前記他方の空間（部屋２の外側７）からＬＥＤ５１が配されている前記一方の空間（部屋２の内側２１）へ光が移動することは許容しつつ、前記一方の空間（部屋２の内側２１）から他方の空間（部屋２の外側７）へ光が移動することを抑制することができる。つまり、部屋２の外側７から部屋２の内側２１の様子を、外側７に居る人物Ｙが視認できなくすることができる。このようなシャッター装置１は、例えば、建物の部屋（例えば、浴室、居間、ダイニング、寝室等）の窓として利用することが可能である。このようなシャッター装置１は、液晶パネル４１によって隔てられる２つの空間間における明るさの違いに関係なく、プライバシー保護や防犯等の目的に利用することができる。
【００５２】
そして、本実施形態のシャッター装置１は、更に、前記２つの空間（部屋２の内側２１、部屋２の外側７）のうち、他方の空間（部屋２の外側７）に配されて前記他方の空間（部屋２の外側７）の照度を測定する照度センサ３５を有し、駆動回路３は、照度センサ３５の測定結果に基づいて、前記他方の空間（部屋２の外側７）に配されている第２光源（例えば、ＬＥＤを利用した街路灯８）における点灯と消灯とを繰り返す点滅パターンＬを検出し、前記液晶パネル４１の透過状態時に前記点滅パターンの消灯時が該当している場合には、前記点滅パターンの点灯時に前記液晶パネルが透過状態となるように、前記同期制御を行うものである。前記液晶パネル４１の透過状態時に、前記他方の空間（部屋２の外側７）に配されている第２光源が消灯していると、前記他方の空間（部屋２の外側７）から前記一方の空間（部屋２の内側２１）に前記第２光源からの光が取り込まれなくなってしまう。前記シャッター装置１は、上記構成を備えることにより、前記液晶パネル４１の透過状態時に、前記第２光源（前記点滅パターン）の消灯時が該当することを防止することができ、前記他方の空間（部屋２の外側７）から前記一方の空間（部屋２の内側２１）へ前記第２光源からの光を確実に移動させることが可能となる。
【００５３】
また、本実施形態のシャッター装置１では、液晶パネル４１の遮光状態時における印加電圧のデューティー比Ｄ１は、液晶パネル４１の透過状態時における印加電圧のデューティー比Ｄ２よりも、大きく設定されている。このようにデューティー比Ｄ１、Ｄ２が設定されていると、一方の空間（部屋２の内側２１）から他方の空間（部屋２の外側７）へ光が移動することを確実に抑制することができる。つまり、部屋２の外側７から部屋２の内側２１の様子を、外側７に居る人物Ｙが、より確実に視認できなくすることができる。
【００５４】
＜実施形態２＞
次いで、本発明の実施形態２を、図１０及び図１１を参照しつつ説明する。図１０は、液晶パネル４１が遮光状態となっている実施形態２に係るシャッター装置１Ａを示す図であり、図１１は、液晶パネル４１が透過状態となっている実施形態２に係るシャッター装置１Ａを示す図である。本実施形態２のシャッター装置１Ａの基本的な構成は、実施形態１のものと同様であり、同じ構成については実施形態１と同じ符号を付し、詳細な説明は省略する。本実施形態のシャッター装置１Ａでは、隣り合った２つの部屋２，１９の間にある壁に、液晶パネル４１を含むシャッター本体部４が利用されている。図１０及び図１１に示されるように、液晶パネル４１は、隣り合った２つの部屋２，１９の間にある壁に、嵌め込まれている。ライトユニット５（ＬＥＤ５）は、部屋２の天井に設けられており、シャッター装置１Ａの駆動回路（不図示）も部屋２内に設けられている。そして、部屋２に隣接する他の部屋１９の天井には、部屋１９内を照らす照明装置１８が設けられている。
【００５５】
本実施形態においても、シャッター装置１Ａが、液晶パネル４１のシャッター駆動とＬＥＤ５１のパルス点灯駆動とを同期制御すると、部屋２の内側２１から液晶パネル４１を介して部屋１９側に光が漏れ出すことが抑制されつつ、部屋１９側から液晶パネル４１を介して部屋２の内側２１に光を取り込むことができる。具体的には、図１０に示されるように、ＬＥＤ５１の点灯時に液晶パネル４１が黒表示（遮光状態）となって、部屋１９の照明装置１８から発せられる光Ｌ１８が液晶パネル４１によって遮られると共に、部屋２のＬＥＤ５１からの光Ｌ５が液晶パネル４１によって遮られる。
【００５６】
そして、図１１に示されるように、ＬＥＤ５１の消灯時に液晶パネル４１が透明表示（透過状態）となって、部屋１９の照明装置１８から発せられた光Ｌ１８が液晶パネル４１を透過して部屋２の内側２１に進入することになる。なお、部屋１９の照明装置１８からの光Ｌ１８は、液晶パネル４１のシャッター駆動と同期していないため、液晶パネル４１を透過することができる。また、ＬＥＤ５１の消灯時、ＬＥＤ５１からは光が発せられないため、ＬＥＤ５１から液晶パネル４１を透過して隣の部屋１９の内側１７に漏れ出すような光Ｌ０が発生することが抑制される。
【００５７】
本実施形態においては、部屋２の内側２１に居る人物Ｘは、液晶パネル４１越しに隣の部屋１９の内側１７に居る人物Ｙを視認することができるものの、反対に、人物Ｙは、部屋２の内側２１を隣の部屋１９から液晶パネル４１越しに視認することができなくなっている。このように、シャッター装置１Ａを、隣り合った部屋２，１９の間に利用してもよい。また、実施形態１と同様にして、照度センサ３５により、部屋１９の照明装置１８の点滅パターンを検出して、液晶パネル４１のシャッター駆動が照明装置１８の点灯駆動と同期しないようにしてもよい。
【００５８】
＜他の実施形態＞
本発明は上記記述及び図面によって説明した実施形態に限定されるものではなく、例えば次のような実施形態も本発明の技術的範囲に含まれる。
【００５９】
（１）上記実施形態では、液晶パネル４１の黒表示を遮光状態としていたが、他の実施形態においては、本発明の目的を損なわない限り、黒表示以外の有色表示を遮光状態としてもよい。
【００６０】
（２）上記実施形態では、液晶パネル４１のシャッター駆動と同期させる光源として、ＬＥＤが利用されているが、他の実施形態においては、本発明の目的を損なわない限り、ＬＥＤ以外の他の光源が利用されてもよい。
【００６１】
（３）上記実施形態では、液晶パネル４１は、ノーマリーブラック方式であったが、他の実施形態においては、電圧が印加されていない状態で光透過状態となり、反対に電圧が印加された状態で遮光状態となる方式（所謂、ノーマリーホワイト方式）であってもよい。なお、液晶パネル４１がノーマリーブラック方式の場合、ＬＥＤ（光源）５１の駆動波形と、液晶パネル４１の駆動波形とは、互いに逆位相の関係となる。また、液晶パネル４１がノーマリーホワイト方式の場合、ＬＥＤ（光源）５１の駆動波形と、液晶パネル４１の駆動波形とは、互いに同位相の関係となる。
【００６２】
（４）上記実施形態１では、基準パルス信号Ｓの波形とＬＥＤ５１に供給される電流の波形とは、互いに同位相の関係であり、そして基準パルス信号Ｓの波形と液晶パネル４１の基板間に印加される電圧の波形とは、互いに逆位相の関係であったが、他の実施形態においては、例えば、基準パルス信号Ｓと逆位相の他の基準パルス信号Ｓ’’を利用して、ＬＥＤ５１に供給される電流の波形と、液晶パネル４１の基板間に印加される電圧の波形とがそれぞれ設定されてもよい。この場合、基準パルス信号Ｓ’’の波形と、ＬＥＤ５１に供給される電流の波形とは、互いに逆位相の関係にあり、また、基準パルス信号Ｓ’’の波形と、液晶パネル４１の基板間に印加される電圧の波形とは、互いに同位相の関係にある。
【００６３】
（５）上記実施形態では、シャッター装置１等は、建物における部屋の窓として利用されていたが、他の実施形態においては、本発明の目的を損なわない限り、例えば、自動車、電車、船舶等の移動手段において利用されてよいし、その他の用途に利用されてもよい。また、本発明のシャッター装置は、プライバシー保護や防犯以外の目的で、利用されてもよい。
【符号の説明】
【００６４】
１，１Ａ…シャッター装置、２…部屋（一方の空間）、３…駆動回路、３１…制御部、３２…パネル駆動部、３３…ライト駆動部、３４…判断部、３５…照度センサ、４…シャッター本体部、４１…液晶パネル、４１０…画素、５…ライトユニット、５１…ＬＥＤ（光源）、Ｓ…基準パルス信号、Ｉ…供給電流、Ｖ…印加電圧、Ｔ…周期（基準パルス信号Ｓ、印加電圧Ｖ及び供給電流Ｉの周期）
【図１】
2014021375.tif 000003
【図２】
2014021375.tif 000004
【図３】
2014021375.tif 000005
【図４】
2014021375.tif 000006
【図５】
2014021375.tif 000007
【図６】
2014021375.tif 000008
【図７】
2014021375.tif 000009
【図８】
2014021375.tif 000010
【図９】
2014021375.tif 000011
【図１０】
2014021375.tif 000012
【図１１】
2014021375.tif 000013